(57)【要約】【課題】ルアーのフックアイ等の糸連結環へのハリスの止着を初心者でも簡単かつ確実に行うことのできるハリス止め具を提供する。【解決手段】このハリス止め具１は、柄体部２と環状部３とハリス掛止部４とハリス通し穴部５とを有する。柄体部２は、割口２ａを形成するように互いに重なり状に配置された第１及び第２の弾性線状部６，７からなる。また、環状部３は、上記柄体部２における両線状部６，７の一端側が互いに連続するように環状に形成され、ハリス掛止部４は、上記第１の線状部６の他端を折り曲げて形成されている。ハリス通し穴部５は、上記第２の弾性線状部７の他端側の延長部終端を湾曲させて形成されている。【選択図】　　　図３
2004089078.tif 000002
【特許請求の範囲】
【請求項１】
ハリスの一端部を止着するハリス止め具であって、
割口を形成するように互いに重なり状に配置された第１および第２の弾性線状部からなり、上記割口を通して挟んだハリスを巻き付けできるようにされた柄体部と、
上記柄体部における両線状部の一端側が互いに連続するように環状に形成され、柄体部の上記割口から他の糸連結環を鎖交状に連結させることのできる環状部と、
上記第１の線状部の他端を折り曲げて形成され、上記柄体部に巻き付けられたハリスの巻付け終端部の近傍箇所が掛け止めされるハリス掛止部と、
上記第２の弾性線状部の他端側の延長部終端を湾曲させて形成され、上記ハリス掛止部に掛け止めされた上記ハリスが挿通されるハリス通し穴部と、
を有することを特徴とするハリス止め具。
【請求項２】
上記第２の弾性線状部の他端側の延長部の上記ハリス掛止部の近傍から上記ハリス通し穴部に至る部分は、上記柄体部の伸長方向から離間する傾斜状に折り曲げられた通し穴ガイド部とされている請求項１に記載のハリス止め具。
【請求項３】
上記第２の弾性線状部の他端側の延長部の上記ハリス掛止部の近傍から上記ハリス通し穴部に至る部分は、Ｌ字状に折り曲げられた通し穴ガイド部とされている請求項１に記載のハリス止め具。
【請求項４】
ハリスの一端部を止着するハリス止め具であって、
割口を形成するように互いに重なり状に配置された第１および第２の弾性線状部からなり、上記割口を通して挟んだハリスを巻き付けできるようにされた柄体部と、
上記柄体部における両線状部の一端側が互いに連続するように環状に形成され、柄体部の上記割口から他の糸連結環を鎖交状に連結させることのできる環状部と、
上記第２の弾性線状部の他端側の延長部の上記第１の弾性線状部の他端部の近傍をＬ字状に折り曲げて形成され、上記柄体部に巻き付けられたハリスの巻付け終端部の近傍箇所が掛け止めされるハリス掛止折曲部と、
上記第２の弾性線状部の他端側の延長部終端を湾曲させて形成され、上記ハリス掛止部に掛け止めされた上記ハリスが挿通されるハリス通し穴部と、
を有することを特徴とするハリス止め具。
【請求項５】
上記ハリス通し穴部は長円状とされ、その長軸が上記柄体部の伸長方向に垂直な面に対して所定の鋭角をなす方向を向くように配置され、ハリス通し穴部の先端部がほぼ柄体部の伸長方向の上に位置するようにされている請求項１ないし請求項４のいずれかに記載のハリス止め具。
【発明の詳細な説明】
【０００１】
【発明の属する技術分野】
本発明は、ハリスの一端部をルアーのフックアイ、或いはサルカンやスイベル等の糸連結環に間接的に連結するためのハリス止め具に関する。
【０００２】
【従来の技術】
ハリスの一端部をルアーのフックアイやサルカン等の糸連結環に連結する場合、従来は、糸連結環にハリスの一端部を、例えばフリー・ノットやクリンチ・ノットなどの結び目を形成して直接止着していた。
【０００３】
【発明が解決しようとする課題】
しかし、このようにハリスを糸連結環に直接止着する作業は、初心者にとって煩雑であるばかりか、正しく止着されない場合にはハリスが糸連結環から簡単に外れてしまうおそれもあった。また、特に現在のように極細のハリスを使用する場合、上記結び目においてハリスが切れてしまうことがしばしばあった。
【０００４】
本発明は以上の事情のもとでなされたものであり、ルアーのフックアイ等の糸連結環へのハリスの止着を初心者でも簡単かつ確実に行うことのできると共に、極細のハリスを使用する場合でもハリスの切断を防止することができるハリス止め具を提供することを目的とする。
【０００５】
【課題を解決するための手段】
本発明に係るハリス止め具は、ハリスの一端部を止着するハリス止め具であって、
割口を形成するように互いに重なり状に配置された第１および第２の弾性線状部からなり、上記割口を通して挟んだハリスを巻き付けできるようにされた柄体部と、
上記柄体部における両線状部の一端側が互いに連続するように環状に形成され、柄体部の上記割口から他の糸連結環を鎖交状に連結させることのできる環状部と、
上記第１の線状部の他端を折り曲げて形成され、上記柄体部に巻き付けられたハリスの巻付け終端部の近傍箇所が掛け止めされるハリス掛止部と、
上記第２の弾性線状部の他端側の延長部終端を湾曲させて形成され、上記ハリス掛止部に掛け止めされた上記ハリスが挿通されるハリス通し穴部と、
を有することを特徴としている。
【０００６】
このハリス止め具によると、その柄体部の割口から環状部に他の糸連結環を鎖交状に連結させた後に、柄体部の割口から通したハリスの一端を挟み付けてから柄体部に巻き付け、さらにハリスの巻付け終端部の近傍箇所をハリス掛止部に掛け止めてハリス通し穴部に挿通させることにより、ハリス止め具を介してハリスの一端部を他の糸連結環に簡単かつ確実に止着できる。また、ハリス自身に結び目を形成せず他の糸連結環に止着できることから、極細のハリスであってもその結び目で切れることを防止できる。
【０００７】
上記第２の弾性線状部の他端側の延長部の上記ハリス掛止部の近傍から上記ハリス通し穴部に至る部分を、上記柄体部の伸長方向から離間する傾斜状に折り曲げられた通し穴ガイド部としてもよい。このように、通し穴ガイド部を単調な傾斜状とすることにより、ハリス掛止部に掛け止めた後のハリスを通し穴ガイド部に沿わせてハリス通し穴部に挿通させる上記作業をより簡単に行うことができる。
【０００８】
上記第２の弾性線状部の他端側の延長部の上記ハリス掛止部の近傍から上記ハリス通し穴部に至る部分を、Ｌ字状に折り曲げられた通し穴ガイド部としてもよい。このように構成した場合、ハリス掛止部に掛け止めた後のハリスを通し穴ガイド部に沿わせて、ハリス通し穴部の基部と先端部との重なり部に押し当てることにより、ハリス通し穴部にハリスを挿通させる作業をより簡単に行うことができる。
【０００９】
また、本発明に係るハリス止め具は、ハリスの一端部を止着するハリス止め具であって、
割口を形成するように互いに重なり状に配置された第１および第２の弾性線状部からなり、上記割口を通して挟んだハリスを巻き付けできるようにされた柄体部と、
上記柄体部における両線状部の一端側が互いに連続するように環状に形成され、柄体部の上記割口から他の糸連結環を鎖交状に連結させることのできる環状部と、
上記第２の弾性線状部の他端側の延長部の上記第１の弾性線状部の他端部の近傍をＬ字状に折り曲げて形成され、上記柄体部に巻き付けられたハリスの巻付け終端部の近傍箇所が掛け止めされるハリス掛止折曲部と、
上記第２の弾性線状部の他端側の延長部終端を湾曲させて形成され、上記ハリス掛止部に掛け止めされた上記ハリスが挿通されるハリス通し穴部と、
を有することを特徴としている。
【００１０】
このハリス止め具によると、その柄体部の割口から環状部に他の糸連結環を鎖交状に連結させた後に、柄体部の割口から通したハリスの一端を挟み付けてから柄体部に巻き付け、さらにハリスの巻付け終端部の近傍箇所をハリス掛止部に掛け止めてハリス通し穴部に挿通させることにより、ハリス止め具を介してハリスの一端部を他の糸連結環に簡単かつ確実に止着できる。また、ハリス自身に結び目を形成せず他の糸連結環に止着できることから、極細のハリスであってもその結び目で切れることを防止できる。
【００１１】
上記ハリス通し穴部は長円状とされ、その長軸が上記柄体部の伸長方向に垂直な面に対して所定の鋭角をなす方向を向くように配置され、ハリス通し穴部の先端部がほぼ柄体部の伸長方向の上に位置するようにされていてもよい。このように、ハリス通し穴部を、その他端部が柄体部の伸長方向のほぼ上に位置するように構成した場合、ハリス止め具を垂直姿勢とした状態で、ハリス掛止部からハリス通し穴部の他端部に至るハリスがほぼ柄体部の伸長方向に延びることになり、ハリスに対してハリス止め具を安定した姿勢に維持することができる。
【００１２】
【発明の実施の形態】
以下、本発明の一実施の形態を図面に基づいて説明する。図１はこの実施形態のハリス止め具の斜視図を、図２（Ａ），（Ｂ）はその正面図および側面図をそれぞれ示す。このハリス止め具１は、ルアーのフックアイやサルカン等の糸連結環に間接的にハリスを止着するためのものであって、ハリスが巻き付けられる柄体部２と、サルカン等の糸連結環を鎖交状に連結させることのできる環状部３と、上記柄体部２に巻き付けられたハリスの巻付け終端部の近傍箇所が掛け止めされるハリス掛止部４と、このハリス掛止部４に掛け止めされたハリスが挿通されるハリス通し穴部５とを、１本の弾性線材を折り曲げて一体に形成したものである。
【００１３】
上記柄体部２は、割口２ａを形成するように互いに重なり状に配置された第１および第２の弾性線状部６，７からなり、上記割口２ａを通してハリスの一端を挟んだ状態でハリスが柄体部２に巻き付けられる。上記環状部３は、上記柄体部２における両線状部６，７の一端側が互いに連続するように環状に形成された部分であり、柄体部２の上記割口２ａから他の糸連結環を鎖交状に連結させることができる。上記ハリス掛止部４は上記第１の線状部６の他端を折り曲げて形成される。上記ハリス通し穴部５は、上記第２の弾性線状部７の他端側の延長部終端を湾曲させて長円状に形成される。
【００１４】
図２（Ｂ）に示すように、上記長円状のハリス通し穴部５は、その長軸が上記柄体部２の伸長方向Ｐに垂直な面に対して所定の鋭角θをなす方向Ｌを向くように傾斜させてある。また、上記第２の弾性線状部７の他端側の延長部の上記ハリス掛止部４の近傍から上記ハリス通し穴部５に至る部分は、Ｌ字状に折り曲げられた通し穴ガイド部８とされ、これによりハリス通し穴部５の先端湾曲部がほぼ柄体部２の伸長方向Ｐの上に位置するようにされている。
【００１５】
図３は、このハリス止め具１を介して、他の糸連結環９にハリス１０の一端部を間接的に止着した状態を示す説明図である。同図を参照して、その止着手順を以下に説明する。
（１）　先ず、柄体部２の割口２ａを通して他の糸連結環９を環状部３に鎖交状に連結させる。
（２）　次に、ハリス１０の一端を、柄体部２の割口２ａから差し込むことにより、柄体部２を構成する第１および第２の弾性線状部６，７で挟み付ける。なお、ここでは、強度を確保するため、ハリス１０は２重に重ねた状態で使用されている。
（３）　次に、ハリス１０を柄体部２の周囲に複数回にわたって巻き付ける。この巻付けにおいて、図３では第１および第２の弾性線状部６，７を一体としてその周囲にハリス１０を巻き付けているが、これに限らず、一部の巻付け回において、第１の弾性線状部６だけ、または第２の弾性線状部７だけに巻き付けるようにしてもよい。
（４）　次に、ハリス１０の巻付け終端部の近傍箇所をハリス掛止部４に掛け止めてから、さらにハリス通し穴部５にハリス１０を挿通させる。ハリス通し穴部５へのハリス１０の挿通は、ハリス通し穴部５の基部５ａと先端部５ｂとが重なっている部分をハリス１０で押し拡げることにより、簡単に行うことができる。また、この作業において、ハリス１０を通し穴ガイド部８に沿わせて、ハリス通し穴部５の基部５ａと先端部５ｂとの重なり部に押し当てることにより、その作業をより簡単に行うことができる。
【００１６】
このハリス止め具１によると、上記した手順により、ハリス止め具１を介して、ハリス１０の一端部を他の糸連結環９に簡単かつ確実に止着することができる。
また、ハリス通し穴部５は、その他端湾曲部が柄体部２の伸長方向Ｐのほぼ上に位置するようにされているので、ハリス止め具１を垂直姿勢とした状態で、ハリス掛止部４からハリス通し穴部５の他端湾曲部に至るハリス１０がほぼ柄体部２の伸長方向Ｐに延びるように導出されることになり、ハリス１０に対してハリス止め具１を安定した姿勢に維持することができる。
【００１７】
図４は、このハリス止め具１を介して、ルアー１１のフックアイ１２にハリス１０の一端部を止着した例を示す。また、図５は、このハリス止め具１を介して、サルカン１３の接続環１４にハリス１０の一端部を止着した例を示す。
【００１８】
図６は第２の実施形態のハリス止め具の斜視図を、図７（Ａ），（Ｂ）はその正面図および側面図をそれぞれ示す。このハリス止め具１Ａは、図１および図２に示す第１の実施形態において、第２の弾性線状部７の他端側の延長部の上記ハリス掛止部４の近傍から上記ハリス通し穴部５に至る部分を、柄体部２の伸長方向Ｐに対して所定の鋭角となる傾斜方向に折り曲げた通し穴ガイド部８Ａとして、この通し穴ガイド部８Ａからハリス通し穴部５にわたる部分を概形がく字状になるように形成されている。その他の構成は第１の実施形態の場合と同様である。
【００１９】
この実施形態では、通し穴ガイド部８Ａが単調な傾斜状とされているので、ハリス掛止部４に掛け止めた後のハリス１０を通し穴ガイド部８Ａに沿わせて、ハリス通し穴部５に挿通させる作業をより簡単に行うことができる。その他の作用・効果は第１の実施形態の場合と同様である。
【００２０】
図８は第３の実施形態のハリス止め具の斜視図を、図９はこのハリス止め具１を介して、他の糸連結環９にハリス１０の一端部を間接的に止着した状態を示す説明図である。
このハリス止め具１Ｂは、図１および図２に示す第１の実施形態において、第１の弾性線状部６の他端を折り曲げて形成されるハリス掛止部４が形成されず、第２の弾性線状部７の他端側の延長部に、上記ハリス掛止部４と同一の作用効果を有するハリス掛止折曲部１５を形成するものである。
即ち、第２の弾性線状部７の他端側の延長部の上記第１の弾性線状部６の他端部の近傍をＬ字状に折り曲げ、上記柄体部２に巻き付けられたハリス１０の巻付け終端部の近傍箇所が掛け止めされるハリス掛止折曲部１５をその第２の弾性線状部７の他端側の延長部に形成したものである。したがって、第３の実施形態のハリス止め具のハリス掛止折曲部１５は、図１および図２に示す第１の実施形態において、第２の弾性線状部７の他端側の延長部のハリス掛止部４の近傍から上記ハリス通し穴部５に至る部分を、Ｌ字状に折り曲げて形成される通し穴ガイド部８とほぼ同様の位置及び形状に形成されるものである。これにより、第１の実施形態と同様にハリス通し穴部５の先端湾曲部がほぼ柄体部２の伸長方向Ｐの上に位置するようになっている。
その他の構成は第１の実施形態の場合と同様である。
【００２１】
この実施形態では、第２の弾性線状部７の他端側の延長部の上記第１の弾性線状部６の他端部の近傍をＬ字状に折り曲げ、上記柄体部２に巻き付けられたハリス１０の巻付け終端部の近傍箇所が掛け止めされるハリス掛止折曲部１５をその第２の弾性線状部７の他端側の延長部に形成したものであることから、第１の実施形態の如く、第１の線状部６の他端にハリス掛止部４を形成する必要はなく、本発明のハリス止め具をコンパクトに形成することができる。その他の作用・効果は第１の実施形態の場合と同様である。
【発明の効果】
本発明によれば、ハリス止め具の柄体部の割口から環状部に他の糸連結環を鎖交状に連結させた後に、柄体部の割口を通してハリスの一端を挟み付けてから柄体部に巻き付け、さらにハリスの巻付け終端部の近傍箇所をハリス掛止部に掛け止めてハリス通し穴部に挿通させることにより、ハリス止め具を介してハリスの一端部を他の糸連結環に簡単かつ確実に止着できる。
また、本発明によれば、ハリス自身に結び目を形成せずに、他の糸連結環に止着できることから、極細のハリスであってもその結び目で切れることを防止できる。
【図面の簡単な説明】
【図１】本発明の一実施形態に係るハリス止め具の斜視図である。
【図２】（Ａ）は同ハリス止め具の正面図、（Ｂ）は同側面図である。
【図３】同ハリス止め具によるハリス止着状態を示す説明図である。
【図４】同ハリス止め具によりハリスをルアーのフックアイに止着した例を示す説明図である。
【図５】同ハリス止め具によりハリスをサルカンのアイに止着した例を示す説明図である。
【図６】本発明の他の実施形態に係るハリス止め具の斜視図である。
【図７】（Ａ）は同ハリス止め具の正面図、（Ｂ）は同側面図である。
【図８】本発明の他の実施形態に係るハリス止め具の斜視図である。
【図９】同ハリス止め具によるハリス止着状態を示す説明図である。
【符号の説明】
１　ハリス止め具
２　柄体部
２ａ　割口
３　環状部
４　ハリス掛止部
５　ハリス通し穴部
６　第１の弾性線状部
７　第２の弾性線状部
８　通し穴ガイド部
９　糸連結環
１０　ハリス
１５　ハリス掛止折曲部
１Ａ，１Ｂ　ハリス止め具
８Ａ　通し穴ガイド部
【図１】
2004089078.tif 000003
【図２】
2004089078.tif 000004
【図３】
2004089078.tif 000005
【図４】
2004089078.tif 000006
【図５】
2004089078.tif 000007
【図６】
2004089078.tif 000008
【図７】
2004089078.tif 000009
【図８】
2004089078.tif 000010
【図９】
2004089078.tif 000011